(57)【要約】【課題】幼児が地面からの放射線を受けることを効果的に防止できるベビーカーを提供すること。【解決手段】ベビーカーの幼児を乗せる座席もしくはその周辺に放射線を遮断する防護シートを取り付けた。ベビーカーの座席の下側に設けられている籠の中に放射線を遮断する防護シートの中敷を敷いてもよく、座席の背部と腰部に防護シートを取り付けてもよい。この場合、座席にポケットを形成しておき、これに防護シートを挿入して保持するように構成するのが好ましい。また、座席の上側に被せられるフードの前端部に日除けを吊り下げ、該日除けに防護シートを取り付けてもよい。【選択図】図１
2013112086.tif 000002
【特許請求の範囲】
【請求項１】
幼児を乗せる座席もしくはその周辺に放射線を遮断する防護シートを取り付けたことを特徴とするベビーカー。
【請求項２】
ベビーカーの座席の下側に設けられている籠の中に放射線を遮断する防護シートの中敷を敷いた請求項１に記載のベビーカー。
【請求項３】
防護シートが複数のシート材からなり、これら複数のシート材を伸縮可能に結合してなる請求項２に記載のベビーカー。
【請求項４】
座席の背部と腰部に防護シートを取り付けた請求項１乃至３のいずれかに記載のベビーカー。
【請求項５】
座席にポケットを設け、該ポケットに防護シートを挿入した請求項４に記載のベビーカー。
【請求項６】
座席の上側に被せられるフードの前端部に日除けを吊り下げ、該日除けに防護シートを取り付けた請求項１乃至５のいずれかに記載のベビーカー。
【請求項７】
前記日よけは、本体が布製の袋であり、この袋の中に防護シートを挿入している請求項６に記載のベビーカー。
【発明の詳細な説明】
【技術分野】
【０００１】
本発明は、地上に散乱した放射性物質が発する放射線から幼児を防護する機能を備えたベビーカーに関するものである。
【背景技術】
【０００２】
ベビーカーには種々のものがあるが、基本的には、下部に移動用の車輪が設けられ、上部に手押しフレームを備えた本体に、幼児を乗せる座席（シート）を取り付けたものが一般的である。そして、座席の下側には物品を収納する籠が設けられ、座席の上方には日よけや雨よけのためのフードが設けられたものが多い。
【０００３】
この種のベビーカーとしては、さらに日除けや虫除けのための補助カバーを設けたもの（特許文献１参照）や、電磁波シールド用のクロスを設けたもの（特許文献２参照）が提案されている。
【０００４】
最近、大地震と津波による原発事故によって、放射性物質が広い範囲に散乱したため、これら放射性物質からの放射線が人体に及ぼす影響が懸念されている。特に、幼児は放射線の影響を受け易いといわれており、日常生活においても、幼児が放射線の影響を受けることを極力避ける必要がある。
【０００５】
幼児を連れて外出する場合、幼児をベビーカーに乗せて移動するが、ベビーカーは座席が低いので、ベビーカーに乗せた幼児が地面に散乱している放射性物質からの放射線を受ける危険性が高いと考えられる。しかしながら、従来のベビーカーには、地面からの放射線に対する配慮がなされていなかった。
【先行技術文献】
【特許文献】
【０００６】
【特許文献１】特開２００９−２６２５９５号公報
【０００７】
【特許文献２】特開２０１０−４３３７０号公報
【発明の概要】
【発明が解決しようとする課題】
【０００８】
本発明は、上記事情に鑑み、幼児が地面からの放射線を受けることを効果的に防止できるベビーカーを提供することを課題としている。
【課題を解決するための手段】
【０００９】
上記課題を解決するため、本発明は次のような構成を採用した。すなわち、請求項1に記載の本発明に係るベビーカーは、幼児を乗せる座席もしくはその周辺に放射線を遮断する防護シートを取り付けたことを特徴としている。
【００１０】
また、請求項２に記載のベビーカーは、ベビーカーの座席の下側に設けられている籠の中に放射線を遮断する防護シートの中敷を敷いたものである。この防護シートは、請求項３に記載のように、防護シートの中敷を複数のシート材で構成し、これら複数のシート材を伸縮可能に結合したものが好ましい。
【００１１】
請求項４に記載のベビーカーは、座席の背部と腰部に防護シートを取り付けたもの      である。この場合、請求項５に記載のように、座席にポケットを形成しておき、これに防護シートを挿入して保持するように構成するのが好ましい。
【００１２】
さらに、請求項６に記載のベビーカーは、座席の上側に被せられるフードの前端部に日除けを吊り下げ、該日除けに防護シートを取り付けたものである。この場合、請求項７に記載のように、前記日除けの本体を布製の袋として形成し、この袋の中に防護シートを挿入しておくのが好ましい。
【発明の効果】
【００１３】
本発明に係るベビーカーは、座席もしくはその付近に防護シートが設けられているので、座席に乗せた幼児が地上からの放射線を受けにくい。この防護シートの位置は、請求項２に記載のように座席の下の籠を利用して配置すると、特別な取付け手段を必要としないので便利である。この場合、請求項３に示すように防護シートを伸縮式としておくと、籠の大きさに適用させ易いという利点がある。
【００１４】
また、請求項４に記載のように、座席の背部と腰部の位置に防護シートを配しておくと、座席に乗せた幼児の身体の大部分を効果的に防護することができるので好ましい。この場合、請求項５に記載のように、座席にポケットを設けて、これに防護シートを挿入保持するように構成すれば、防護シートの着脱に便利であるとともに、このポケットを利用して保温材や保冷材を取り付けることもできるので、一層効果的である。
【００１５】
さらに、請求項６に記載のように、既設の幌を利用して防護シートを有する日除けを取り付けておくと、幼児の身体の前面側を効果的に防護することができる。この場合、請求項７に記載のように、日除け本体を袋状に形成し、この中に防護シートを入れて保持するようにしておけば、防護シートの着脱が容易である。
【図面の簡単な説明】
【００１６】
【図１】本発明の実施形態を表す斜視図である。
【図２】籠の斜視図である。
【図３】籠に入れる防護シート中敷の斜視図である。
【図４】座席の正面図である。
【図５】座席の断面図である。
【図６】日除けを取り付けた座席の斜視図である。
【図７】日除けの説明図である。
【発明を実施するための最良の形態】
【００１７】
以下、本発明の好ましい実施形態について具体的に説明する。図１は本発明に係るベビーカーの斜視図であり、このベビーカー１は、前輪２を支持する左右一対の前脚フレーム３と、後輪４を支持する左右一対の後脚フレーム５と、手押しフレーム７を備えた本体８の上下中間部に座席１０が取り付けられている。
【００１８】
座席１０は、背部１１と腰部１２とで構成され、腰部１２には、当該腰部から起ち上がる股部支持紐１３が設けられている。股部支持紐１３の上端部には、バックル１４が取り付けてあり、このバックル１４には左右に延びる腰部支持紐１５が取り付けられている。なお、図示を省略したが、このバックル１４に幼児の肩部を拘束する肩紐を取り付けたものもある。
【００１９】
座席１０の両側部にはアームレスト１７がそれぞれ設けられ、その先端部には両アームレストを連結する前保護フレーム１８が設けられている。座席１０の下側には、必要に応じて飲み物、タオル等の小物を入れる籠２０が設けられている。また、左右の前脚フレーム３を繋ぐ連結フレーム２２と、左右の後脚フレーム５を繋ぐ連結フレーム２３が設けられ、前側の連結フレーム２２の中間部にはフットレスト２４が設けられている。
【００２０】
さらに、座席１０の上方には座席１０を覆うように幌３０が設けられている。この幌３０は、後部が前記手押しフレーム７に固定された後部フレーム３１に取り付けられており、前部は回動式の前部フレーム３２に取り付けられている。回動式の前部フレーム３２は、基部３３が軸支されていて、前記後部フレーム３１と重なる折り畳み状態から、必要に応じて座席の上方を覆うように幌３０を引き出して拡げることができる。
【００２１】
このベビーカー１には、地面からの放射線が大量に座席１０に届かないように遮断する防護シートＳが設けられている。
【００２２】
防護シートＳは、放射線を効果的に遮断することのできる板状、布状のシートであり、放射線被爆防止のために従来から使用されている高鉛ガラス、含鉛樹脂（例えばアクリル）板、含鉛クロス等を利用することができる。含有する鉛の量が多ければ重量が大きくなり、少なければ放射線遮断効果が低下するので、用途に応じて適当なものを選択すればよいが、本発明では、０．３ｍｍＰｂ程度のものが好ましい。
【００２３】
図２、図３は、その一つの例を表すもので、座席１０の下側に取り付けられている籠２０の底に防護シートＳの中敷２１が敷かれている。籠２０の大きさは、例えば幅３００ｍｍ、長さ５００ｍｍ程度である。この防護シートＳの中敷２１は、図３に示すように、複数枚（図示例では２枚）のシート材Ｓ１，Ｓ２を、中間部で重なるように配置したもので、重なり部分の長さを調節することにより、全体の長さを調節できるようになっている。このシート材Ｓ１は、フック、ピン等の固定手段（図示を省略）により、籠２０に固定される。なお、幅についても同様な構造で寸法を調節することができるようにしてもよい。
【００２４】
このように座席下の籠２０を利用して防護シートＳを取り付けておくと、地面からの放射線を効果的に遮断することができる。防護シートは含鉛材でつくられているから重量が比較的大きいが、図示のような構造であれば不要時には簡単に防護シートＳを取り外すことができるので便利である。
【００２５】
次に、図４は、座席１０に防護シートＳを取り付けた例を表す。図５に示すように、座席１０が樹脂製等の高強度のベース１０ａと該ベース上に載せられるクッション１０ｂで構成される場合は、防護シートＳをクッション１０ｂに取り付けてもよく、クッションとベース１０ａとの間に配置してもよく、さらにはベース１０ａの裏側に取り付けておいてもよい。座席１０は背部と腰部とで構成されるため、防護シートＳも背部と腰部に配置しておくのが好ましい。
【００２６】
防護シートＳを座席に取り付ける場合は、例えばクッション１０ｂ（ベース１０ａでもよい）の適所にポケットＰを設けておき、そのポケットに防護シートを挿入するようにすれば、防護シートの取り付けが簡単である。このポケットＰは、暑い日には保冷材や氷をいれておくことができ、寒い日には保温材をいれておけるようにすればさらに効果的である。
【００２７】
図６は、座席の前方を覆う日除け４０を設けた例を表す。この日除け４０は図７に示すように布製の袋状であり、上部に開口４１が設けられている。この開口４１は、ジッパー式の開閉具４２で閉じることができるようになっている。この袋状の日除け４０には、防護シートＳを挿入しておくことができる。
【００２８】
この日除け４０は、前記幌３０の前フレーム３２に差し渡したロッド４５に吊り下げられるようになっている。ロッド４５は、前フレーム３２に設けた支持具４６に支持されるようになっており、必要に応じて日除け４０とともに着脱できるようになっている。防護シートＳを抜き取って、袋状の日除けのみを使用することもできる。日除け４０の大きさは、使用条件等に応じて適当な大きさとすればよいが、通常は、例えば幅２００ｍｍ、高さ２００ｍｍ程度とすればよい。
【００２９】
この日除け４０を設けたベビーカー１は、前方からの放射線を日除けに設けた防護シートで効果的に遮ることができる。また、放射線の心配がない場合は、単なる着脱式の日除けとして利用できるので便利である。
【００３０】
以上の説明から明らかなように、本発明に係るベビーカーは、幼児を乗せる座席の付近に放射線を遮断する防護シートＳが設けられているので、放射性物質が散乱した場所でも幼児に放射線が当たることを効果的に防止できるようになった。図示例では、手押しフレームを本体の後ろ側に設けたものを例にとって説明したが、手押しフレームを座席の前側に設け、幼児の顔を見ながら押すことができるタイプのベビーカーや、折り畳み式のベビーカーについても同様に応用することができる。
【００３１】
さらに、以上の説明では、３種の異なる実施形態について説明したが、これらを選択的に組み合わせてもよく、状況に応じて各実施形態のものを別々に採用してもよい。
【符号の説明】
【００３２】
１            ベビーカー
２            前輪
３            前脚フレーム
４            後輪
５            後脚フレーム
７            手押しフレーム
１０          座席
２０          籠
３０          幌
４０          日除け
Ｓ            防護シート
【図１】
2013112086.tif 000003
【図２】
2013112086.tif 000004
【図３】
2013112086.tif 000005
【図４】
2013112086.tif 000006
【図５】
2013112086.tif 000007
【図６】
2013112086.tif 000008
【図７】
2013112086.tif 000009